(57)【要約】      （修正有）【課題】バッテリーアセンブリを簡単に取り出し及び組み立てることができるバッテリー交換可能なスマートサンシェードを提供する。【解決手段】バッテリー交換可能なスマートサンシェードは、セットフレーム１と、セットフレーム両端を覆い被せる取付部材２ａと、を備え、セットフレーム内に動力機構が設けられる。動力機構はセットフレームの一端から引き出されるか、セットフレームに押し込まれる引き出し３を有し、バッテリーアセンブリ４が引き出し内に配置され、駆動機構が動力機構に対向するセットフレームの他端に連結され、動力機構が駆動機構に動力を伝達することで、出力機構を駆動してカーテン布を動かせる。バッテリーは、引き出し内に秩序ある配置をされてセットフレーム内部に取り付けられ、外部に露出されない。バッテリーのメンテナンスや交換或いは充電が便利で、販売、輸送途中は、分離させて電力損失を低減できる。【選択図】図２
0003234483.tif 000002
【実用新案登録請求の範囲】
【請求項１】
バッテリー交換可能なスマートサンシェードであって、
対向に配置された第１端及び第２端と、を備え、セットフレームの前記第２端に駆動機構が接続されるセットフレームと、
前記セットフレームの第１端及び第２端を覆い被せる取付部材と、
前記セットフレーム内に設けられ、前記セットフレームの前記第１端から引き出されるか、又は前記セットフレームに押し込まれる引き出しを備え、バッテリーアセンブリは前記引き出し内に配置されている動力機構と、
を備えることを特徴とする、バッテリー交換可能なスマートサンシェード。
【請求項２】
前記動力機構と前記駆動機構との間は、引き出しのプッシュプルに追動して伸縮できる電線を介して電気的に接続されることを実現することを特徴とする、請求項１に記載のバッテリー交換可能なスマートサンシェード。
【請求項３】
前記動力機構と前記駆動機構との間は、脱着可能な電線の接点を介して電気的な接続を実現することを特徴とする、請求項１に記載のバッテリー交換可能なスマートサンシェード。
【請求項４】
前記動力機構は、前記セットフレームの第１端に設けられ、前記第１端の取付部材に前記引き出しを貫通できる開口部が設けられ、前記引き出しに前記開口部を覆い被せることができるプルプレートが対応して設けられ、前記開口を有する前記取付部材の内壁に前記セットフレームの軸線に平行なガイドバーが設けられ、前記開口を有する前記取付部材に第１ロック部材が設けられ、前記プルプレートに嵌合する第２ロック部材が設けられ、第１、第２ロック部材は前記引き出しが前記セットフレームに押し込まれた後前記引き出しを前記セットフレーム内に固定させることができることを特徴とする、請求項１に記載のバッテリー交換可能なスマートサンシェード。
【請求項５】
前記動力機構は、前記セットフレームの前記第１端に設けられ、前記第１端の前記取付部材を覆い被せた後この端を封止し、前記取付部材の内壁に前記動力機構に突き当たるための規制突起が設けられることを特徴とする、請求項１に記載のバッテリー交換可能なスマートサンシェード。
【考案の詳細な説明】
【技術分野】
【０００１】
本考案は、サンシェードに関し、特に、バッテリー交換可能なスマートサンシェードに関する。
【背景技術】
【０００２】
生活を便利にし、生活の質を向上させるため、スマートホーム製品がますます広く活用されている。現在、電動ローラーロールスクリーンや電動ブラインドなどといったさまざまな電動カーテンが市場に出回っている。電動カーテンの駆動装置には、電源が必要で、電源として主に有線（外部電源に直接接続）及び無線（バッテリーパック）の電源に分けられ、無線電源が取り付け場所に外部電源があるかどうかを問わず、より広い活用の見通しがあり、一般的にバッテリーパックの形を用いているが、従来の電動カーテン完成品が事前にバッテリーパックを駆動装置に内蔵しているため、交換できず、かつさまざまな理由で内蔵のバッテリーパックが容易にアフターセールスで問題を引き起こす可能性があり、また組み立てが完了すると電力が損失し始め、保管または輸送途中での電力損失が無駄になり、バッテリーの実際の寿命も短くなる。このためバッテリーパックをより安全にし、実際の寿命を延ばし、簡単に交換できるかが業界の発展において解決が急務となっている課題である。
【考案の概要】
【考案が解決しようとする課題】
【０００３】
上記の技術的課題を解決するため、本考案は、バッテリーアセンブリを簡単に取り出し及び組み立てることができる電動スマートサンシェードを提供する。
【課題を解決するための手段】
【０００４】
上記技術的課題を解決するために講じた本考案の技術的手段として、バッテリー交換可能なスマートサンシェードであって、セットフレームと、セットフレーム両端を覆い被せる取付部材と、を備え、セットフレーム内に動力機構が設けられ、動力機構はセットフレームの一端から引き出されるか、セットフレームに押し込まれる引き出しを有し、バッテリーアセンブリが引き出し内に配置され、駆動機構が動力機構に対向するセットフレームの他端に設けられ、動力機構が駆動機構に動力を伝達することで、出力機構を駆動してカーテン布を動かせる。
【考案の効果】
【０００５】
上記構造を用いた後、バッテリーは、引き出し内に秩序ある配置されてセットフレーム内部に取り付けられ、セットフレーム内部の構成要素設置時のスペースレイアウト設計に有利であり、バッテリーを外部に露出させることなく、スマートカーテンの美観性を向上させる。動力機構は、随時着脱可能で、バッテリーのメンテナンスや交換或いはバッテリーを取り出して充電することに便利なだけでなく、販売、輸送途中でバッテリーをスマートカーテンから分離させて不要な電力損失を低減させることができる。
【０００６】
さらに、動力機構と駆動機構との間は、電線を介して電気的に接続され、好ましくは電線が引き出しのプッシュプルに追動して伸縮させることができる。
【０００７】
さらに、動力機構と駆動機構との間は、脱着可能な電線の接点を介して電気的な接続を実現する。
【０００８】
さらに、動力機構は、セットフレームの一端に設けられ、この端の取付部材に引き出しを貫通できる開口部が設けられ、引き出しに開口部を覆い被せることができるプルプレートが対応して設けられる。
【０００９】
好ましくは、開口部を有する取付部材の内壁にセットフレームの軸線に平行なガイドバーが設けられる。
【００１０】
より好ましくは、開口部を有する取付部材に第１ロック部材が設けられ、プルプレートに嵌合する第２ロック部材が設けられ、両者が互いに嵌合して引き出しをセットフレームに押し込んだ後引き出しをセットフレーム内に固定させることができる。
【００１１】
さらに、動力機構は、セットフレームの一端に設けられ、この端の取付部材を覆い被せた後この端を封止し、取付部材の内壁に動力機構に突き当たるための規制突起が設けられる。
【図面の簡単な説明】
【００１２】
【図１】本考案の一実施例に係るバッテリー交換可能なスマートロールスクリーンの立体図である。
【図２】本考案に係るバッテリー交換可能なスマートロールスクリーンの組立図である。
【図３】図２内の取付部材の立体図である。
【図４】本考案の別の実施例に係るバッテリー交換可能なスマートブラインドの立体図である。
【図５】本考案に係るバッテリー交換可能なスマートブラインドの組立図である。
【図６】図５内の取付部材の立体図である。
【考案を実施するための形態】
【００１３】
以下に、具体的実施形態を参照しつつ本考案をさらに説明する。
【００１４】
なお、本考案の説明において、用語「中心」、「縦方向」、「横方向」、「長さ」、「幅」、「厚さ」、「上」、「下」、「前」、「後」、「左」、「右」、「鉛直」、「水平」、「頂」、「底」、「内」、「外」、「時計回り」、「反時計回り」、「軸方向」、「半径方向」、「円周方向」などが示した方位又は位置関係は、単に本考案を簡単に説明しやすくするためであり、示された装置又は部材が必ず特定の方位を有し、又は特定の方位で構成され操作することと指示又は示唆するものではないので、本考案に対する限定と理解してはいけない。
【００１５】
なお、用語「第１」、「第２」は単に目的を描写するのに使われており、比較的な重要性を指示又は示唆する、或いは示された技術的特徴の数をそれとなく明示すると理解してはいけない。そこで、「第１」、「第２」が限定されている特徴は一つ又はもっと多くのこの特徴を含むことを明示又はほのめかすものである。更に、本考案において、特に説明される場合を除く、「複数」とは２つ以上のことを意味し、例えば２つ、３つである。
【００１６】
本考案に明記及び指定されていない限り、用語「取り付けられた」、「結合された」、「接合された」、「固定された」等は、広義に解釈すべきであり、例えば、固結であってもよく、取り外し可能な接続又は一体になり；機械的接続であり得、電気的接続であってもよく；直接的接続であり得、中間要素を介して間接的に結合してもよく、２つの要素内部の連通或いは２つの要素の相互作用関係であり得、特に明確な限定がある場合を除く。当業者にとって、具体的状況に応じて本考案における上記用語の具体的意味を理解することができる。
【００１７】
本考案に明記及び指定されていない限り、第２の特徴の「上」又は「下」のにあると説明されている第１の特徴は、第１及び第２の特徴と直接接触し得るか、或いは第１及び第２の特徴が中間要素を介して間接的に接触してもよい。かつ、第２の特徴の「真上に」、「上方に」、及び「上に」あると説明されている第１の特徴は、第２特徴の真上又は斜め上にあるか、若しくは単に第１の特徴の水平高さが第２特徴よりも高いことを意味し得る。第２の特徴の「真下に」、「下方に」、及び「下に」あると説明されている第１の特徴は、第２特徴の真下又は斜め下にあるか、若しくは単に第１の特徴の水平高さが第２特徴よりも低いことを意味し得る。
【００１８】
本考案は、バッテリー交換可能なスマートサンシェードを提供する。スマートロールスクリーン及びスマートブラインドの２つの具体的実施形態を以下に示す。図１は、本考案に係るバッテリー交換可能なスマートサンシェードの立体図であり、図に示すように、ロールスクリーンの概略構成図である。図２は、本考案に係るバッテリー交換可能なスマートロールスクリーンの組立図であり、図３は図２内の取付部材の立体図である。図４は、本考案の別のバッテリー交換可能なスマートサンシェードの立体図であり、図に示すように、ブラインドの概略構成図であり、図５は本考案に係るバッテリー交換可能なスマートブラインドの組立図であり、図６は図５内の取付部材の立体図である。
【００１９】
本考案によって提供されるバッテリー交換可能なスマートサンシェードは、図１、図２又は図４、図５に示すように、セットフレーム１と、セットフレーム１の両端を覆い被せる取付部材と、を備え、セットフレーム１内に動力機構、制御板等の構成要素が設けられ、駆動機構が動力機構に対向するセットフレームの他端に設けられ、動力機構が駆動機構に動力を伝達することで、出力機構を駆動してカーテン布５を動かせる。動力機構の動力源は、一次電池、二次電池等を選択でき，駆動機構が管状モータを備えることができ、異なるカーテンタイプに応じて駆動機構はセットフレーム内又はセットフレーム外に設けられ、制御板、回路素子等を介して動力機構と電気的に接続することができる。
【００２０】
動力機構の交換又は脱着の利便性を高めるため、動力機構はセットフレーム１の一端から引き出されるか、或いはセットフレーム１内に押し込まれるように設計されている。具体的応用において、動力機構はセットフレーム１に挿し抜くことができる引き出し３を備え、バッテリーアセンブリ４が引き出し３内に配置される（異なる仕様に応じてバッテリーアセンブリ４は、引き出し３内に直列または並列に配置することができる）。
【００２１】
上記構造を用いた後、バッテリーは、引き出し３内に秩序ある配置されてセットフレーム１内部に取り付けられ、セットフレーム１内部の構成要素設置時のスペースレイアウト設計に有利であり、バッテリーを外部に露出させることなく、スマートカーテンの美観性を向上させる。動力機構は、随時着脱可能で、バッテリーのメンテナンスや交換或いはバッテリーを取り出して充電することに便利なだけでなく、販売、輸送途中でバッテリーをスマートカーテンから分離させて不要な電力損失を低減させることができる。
【００２２】
さらに改善された実施例として、動力機構と駆動機構との間は、電線を介して電気的に接続され、電線の長さが引き出しをスムーズに引き出すことができるのを確保する。なお、好ましくは、電線は引き出しのプッシュプルに追動して伸縮させることができるため、動力機構がセットフレーム１から引き出されるか、又は押し込まれる時電線がセットフレーム１内で絡まないように、電線を容易に引き出しと引き込む。
【００２３】
さらに改善された実施例として、動力機構と駆動機構との間は、脱着可能な電線の接点を介して電気的に接続され、導電性接続片などの脱着可能な接点を設けることによって、動力機構の引き出しと押し込みを容易にする。
【００２４】
さらに改善された実施例として、図３に示すように、動力機構は、セットフレーム１の一端に設けられ、この端の取付部材２ａに引き出し３を貫通できる開口部が設けられ、引き出し３に開口部を覆い被せることができるプルプレート３１が設けられる。
【００２５】
さらに改善された実施例として、引き出し３がセットフレーム１から引き出されるか、又はセットフレーム１に押し込まれるため、開口部を有する取付部材２ａの内壁にガイドバー２ａｉが設けられる。
【００２６】
より好ましくは実施例として、開口部を有する取付部材２ａに第１ロック部材が設けられ、プルプレート３１に設けられた第２ロック部材と嵌合し、引き出し３をセットフレーム１に押し込んだ後引き出し３をセットフレーム１内に固定させることができるため、カーテンの動作時動力機構の落下を防ぐことができる。ロック部材は、図２、図３に示すようにネジで固定される螺合孔２ａｉｉ構造であり得、互いに嵌合するスナップフィット構造でもよい。
【００２７】
さらに改善された実施例として、図６に示すように、動力機構は、セットフレーム１の一端に設けられ、この端の取付部材２ｂを覆い被せた後この端部を封止し、取付部材２ｂの内壁に動力機構に突き当たるための規制突起２ｂｉが設けられ、スマートカーテンの動作時動力機構の移動を防ぐことができる。
【００２８】
本考案の実施例にかかわる材料、試薬及び試験機器は、特に明記しない限り、均しく電気部品分野に適合する市販の製品である。
【００２９】
上記は、本考案の好ましい実施例に過ぎない。当業者にとって、本考案のコア技術を脱しない範囲内で改善や潤色を加えることができ、かかる改善や潤色も本考案の保護範囲に属するべきであることを指摘しておかなければならない。本考案の実用新案登録請求の範囲と均等な意味と範囲内での変更は実用新案登録請求の範囲に含まれていると見なされる。
【符号の説明】
【００３０】
１  セットフレーム
２ａ、２ｂ  取付部材
２ａｉ  ガイドバー
２ａｉｉ  螺合孔
２ｂｉ  規制突起
３  引き出し
３１  プルプレート
４  バッテリーアセンブリ
５  カーテン布
【図１】
0003234483.tif 000003
【図２】
0003234483.tif 000004
【図３】
0003234483.tif 000005
【図４】
0003234483.tif 000006
【図５】
0003234483.tif 000007
【図６】
0003234483.tif 000008